(57)【特許請求の範囲】
【請求項１】
都市ごみ焼却施設において発生したダイオキシン汚染物を、該都市ごみ焼却施設内またはその近傍で処理する、ダイオキシン汚染物の現地処理装置であって、
処理されるべきダイオキシン汚染物を後記ロータリーキルンに投入する投入プッシャーと、
投入されたダイオキシン汚染物を熱分解して無害化する、ばね押し付け手段により固定自在なロータリーキルンと、
該ロータリーキルンの後方に設置され、未燃焼ガスを燃焼する再燃炉と、
前記再燃炉に接続管により接続され転倒起立自在である、再燃後ガスを冷却する冷却塔と、
前記冷却塔の後方に設置され、冷却後ガスに混在する粉じん類を除去するバグフィルターと、
該バグフィルターの後方に設置され、除じん後ガスを誘引する誘引送風機と、
該誘引送風機の後方に設置され転倒起立自在または伸縮自在である、除じん後ガスを大気中に放出する煙突とが、１つのトレーラに搭載または複数のトレーラに分載されていることを特徴とする、ダイオキシン汚染物の現地処理装置。
【請求項２】
第一のトレーラおよび第二のトレーラにより構成され、
前記第一のトレーラが、投入プッシャーとロータリーキルンと再燃炉を搭載し、
前記第二のトレーラが、冷却塔とバグフィルターと誘引送風機と煙突を搭載していることを特徴とする請求項1記載の、ダイオキシン汚染物の現地処理装置。
【請求項３】
ロータリーキルンの後方で再燃炉の前方に、未燃焼ガスを燃焼する後燃炉が設置されていることを特徴とする請求項1または２記載の、ダイオキシン汚染物の現地処理装置。
【発明の詳細な説明】
【０００１】
【発明の属する技術分野】
本発明は、都市ごみ焼却施設から発生するダイオキシン汚染物を、該都市ごみ焼却施設内またはその近傍で処理する、特に、移動自在なトレーラにより構成された、ダイオキシン汚染物の現地処理装置に関する。
【０００２】
【従来の技術】
従来、都市ごみ焼却施設において発生するダイオキシン汚染物の処理方法には、▲１▼ダイオキシン汚染物を、該都市ごみ焼却施設以外の別の場所に設置した処理設備（溶融炉等）に運搬して、処理する方法。
▲２▼ダイオキシン汚染物を、該都市ごみ焼却施設の敷地内で、土壌と一緒に溶融固化する方法等がある。
【０００３】
【発明が解決しようとする課題】
しかしながら、従来の処理方法においては、
▲１▼ダイオキシン汚染物を前記処理設備にまで輸送する途中で、飛散する。
▲２▼都市ごみ焼却施設の敷地が汚染されている場合には、跡地を後日利用する際の制約になる。
▲３▼ダイオキシン汚染物を他県まで越境して輸送することに抵抗がある。
との問題がある。
【０００４】
本発明は、このような問題を解決するためになされたもので、ダイオキシン汚染物を、これの発生源である都市ごみ焼却施設の内部または近傍で処理することができる、移動自在なダイオキシン汚染物の現地処理装置を提供することを目的とする。
【０００５】
【課題を解決するための手段】
このような課題を解決するための本発明のダイオキシン汚染物の現地処理装置は以下のとおりである。
［１］ 都市ごみ焼却施設において発生したダイオキシン汚染物を、該都市ごみ焼却施設内またはその近傍で処理する、ダイオキシン汚染物の現地処理装置であって、処理されるべきダイオキシン汚染物を後記ロータリーキルンに投入する投入プッシャーと、投入されたダイオキシン汚染物を熱分解して無害化する、ばね押し付け手段により固定自在なロータリーキルンと、該ロータリーキルンの後方に設置され、未燃焼ガスを燃焼する再燃炉と、前記再燃炉に接続管により接続され転倒起立自在である、再燃後ガスを冷却する冷却塔と、前記冷却塔の後方に設置され、冷却後ガスに混在する粉じん類を除去するバグフィルターと、該バグフィルターの後方に設置され、除じん後ガスを誘引する誘引送風機と、該誘引送風機の後方に設置され転倒起立自在または伸縮自在である、除じん後ガスを大気中に放出する煙突とが、１つのトレーラに搭載または複数のトレーラに分載されていることを特徴とするものである。
［２］ 前記［１］において、第一のトレーラおよび第二のトレーラにより構成され、前記第一のトレーラが、投入プッシャーとロータリーキルンと再燃炉を搭載し、前記第二のトレーラが、冷却塔とバグフィルターと誘引送風機と煙突を搭載していることを特徴とするものである。
［３］ 前記［１］または前記［２］において、ロータリーキルンの後方で再燃炉の前方に、未燃焼ガスを燃焼する後燃炉が設置されていることを特徴とするものである。
【０００６】
【発明の実施の形態】
［実施の形態１］
図１は本発明に係るダイオキシン汚染物の現地処理装置の一実施の形態を示す平面図である。図１において、現地処理装置は、相互に略平行して停車された、第一のトレーラ１および第二のトレーラ２により構成されている。
【０００７】
図２および図３は、それぞれ本発明に係るダイオキシン汚染物の現地処理装置（以下、現地処理装置と称す）を構成する第一のトレーラおよび第二のトレーラを示す側面図である。
【０００８】
図１および図２において、前記第一のトレーラ１には、処理されるべきダイオキシン汚染物を後記ロータリーキルン１２に投入する投入プッシャー１１と、投入されたダイオキシン汚染物を熱分解して無害化するロータリーキルン１２と、該ロータリーキルン１２の後方に設置され、未燃焼ガスを燃焼する再燃炉１４が搭載され、それぞれが、配管で連結されている。
【０００９】
なお、第一のトレーラ１の走行中、前記ロータリーキルン１２は、図示しないばね押し付け手段により固定され、現地処理時には、該固定が開放され回転自在になる。
【００１０】
図１および図３において、前記第二のトレーラ２には、前記再燃炉１４に接続管３により接続された再燃炉を経由したガス（以下、再燃後ガスと称す）を冷却する冷却塔２１と、該冷却塔２１の後方に設置され、該冷却塔２１を経由したガス（以下、冷却後ガスと称す）に混在する粉じん類を除去するバグフィルター２２と、該バグフィルター２２の後方に設置され、該バグフィルター２２を経由したガス（以下、徐じん後ガスと称す）を誘引する誘引送風機２3と、該誘引送風機２3の後方に設置され、除じん後ガスを大気中に放出する煙突２４が搭載され、それぞれが配管で連結されている。
【００１１】
なお、第二のトレーラ２の走行中は、前記冷却塔２１は転倒してその高さが低くなり、さらに、前記煙突２４も転倒している。したがって、通行するゲート類における通行可能高さ等の市街地の交通制限に規制されることなく、現地処理装置を現地に搬入することが可能である。
【００１２】
図４は本発明に係るダイオキシン汚染物の現地処理装置の一実施の形態における、第一のトレーラ１と第二のトレーラの連結状況を示す断面図である。図４において、前記第一のトレーラ１に載置された前記再燃炉１４と、第二のトレーラ２に載置された前記冷却塔２１が、連結管３により連結されている。
【００１３】
したがって、ダイオキシン汚染物は、前記ロータリキルン１２において、熱分解され無害化されて、排出され、一方、これに供した燃焼ガスは、冷却および徐じんされた後、大気中に放出されるから、該処理工程を現地にて完結することが可能になる。
【００１４】
なお、前記煙突２４は転倒自在にかえて、内外径の異なる複数の円筒が相互に摺動して伸縮するものにしてもよい。
［実施の形態２］
図５は本発明に係るダイオキシン汚染物の現地処理装置の他の実施の形態を示す平面図である。図５において、現地処理装置は、相互に略平行して停車された、第一のトレーラ１０、第二のトレーラ２０および第三のトレーラ３０により構成されている。
【００１５】
前記第一のトレーラ１０には、処理されるべきダイオキシン汚染物を後記ロータリーキルン１２に投入する投入プッシャー１１と、投入されたダイオキシン汚染物を熱分解して無害化するロータリーキルン１２が搭載されている。
【００１６】
前記第二のトレーラ２０には、該ロータリーキルン１２の後方に設置され、未燃焼ガスを燃焼する後燃炉１３と、該後燃炉１３の後方に設置され、さらに未燃焼ガスを燃焼する再燃炉１４と、該再燃炉を経由したガス（以下、再燃後ガスと称す）を冷却する冷却塔２１が搭載されている。
【００１７】
前記第三のトレーラ３０には、該冷却塔２１を経由したガス（以下、冷却後ガスと称す）に混在する粉じん類を除去するバグフィルター２２と、該バグフィルター２２の後方に設置され、該バグフィルター２２を経由したガス（以下、徐じん後ガスと称す）を誘引する誘引送風機２3と、該誘引送風機２3の後方に設置され、除じん後ガスを大気中に放出する煙突２４が搭載されている。
【００１８】
そして、それぞれの設備は、固定または着脱自在な配管により連結されている。
【００１９】
したがって、前記実施の形態１と同様に、実施することができ、同様の作用・効果を奏すものである。
【００２０】
【発明の効果】
以上述べた本発明の、ダイオキシン汚染物の現地処理装置によれば、以下に示すような顕著な効果が得られる。
▲１▼２台のトレーラに設備を分載したから、現地への搬入が容易になる。
▲２▼煙突等背の高い設備を転倒自在にしたから、現地への搬入が可能になる。
▲３▼２台のトレーラに載置した設備により、ダイオキシン汚染物を無害化し、かつ、これに供した燃焼ガスを環境友好的に、大気中に放出するから、処理工程を現地にて完結することが可能になる。
▲４▼したがって、ダイオキシン汚染物を現地以外の場所に搬送する必要がなくなり、途中の搬送経路内にダイオキシン汚染物を飛散させることがなくなる。
▲５▼また、現地内で無害化した後、現地以外の場所に搬送することができるから、途中の搬送経路内にダイオキシン汚染物を飛散させることがなくなる。
【図面の簡単な説明】
【図１】図１は本発明に係るダイオキシン汚染物の現地処理装置の一実施の形態を示す平面図である。
【図２】本発明に係るダイオキシン汚染物の現地処理装置を構成する第一のトレーラを示す側面図である。
【図３】本発明に係るダイオキシン汚染物の現地処理装置を構成する第二のトレーラを示す側面図である。
【図４】本発明に係るダイオキシン汚染物の現地処理装置の一実施の形態における、第一のトレーラ１と第二のトレーラの連結状況を示す断面図である。
【図５】本発明に係るダイオキシン汚染物の現地処理装置の他の実施の形態を示す平面図である。
【符号の説明】
［実施の形態１］
１  第一のトレーラ
２  第二のトレーラ
３  接続管
１０  第一のトレーラ
１１  投入プッシャー
１２  ロータリーキルン
１３  後燃炉
１４  再燃炉
２０  第二のトレーラ
２１  冷却塔
２２  バグフィルター
２３  誘引送風機
２４  煙突
【図１】
0003680755.tif 000002
【図２】
0003680755.tif 000003
【図３】
0003680755.tif 000004
【図４】
0003680755.tif 000005
【図５】
0003680755.tif 000006